(57)【要約】【課題】  １枚のシートから組み立てられ、組み立て後にはシートに表された複数の模様が組み合わされて一体の模様が箱の表面に表れる。【解決手段】  本件開示の組立箱は、底面部と、底面部の一端から折り曲げられ底面部に対して立設される第１側面部と、底面部の他端から折り曲げられ底面部に対して立設される第２側面部と、第１側面部から内向きに折り曲げられ、底面部、第１側面部および第２側面部を含み上方が開口した箱体の開口の少なくとも一部を塞いだときに箱体の外側に位置する面には第１の模様が表された第１上面部と、第２側面部から内向きに折り曲げられ、箱体の開口の少なくとも一部を塞いだときに箱体の外側に位置する面には第２の模様が表された第２上面部と、を有し、第１上面部および第２上面部は、開口を塞いだときに互いを係止する係止手段をそれぞれ有し、第１上面部および第２上面部が開口を塞ぎ、係止手段により互いを係止したときに、第１の模様と第２の模様との組み合わせにより第３の模様が形成される。【選択図】  図７
2018002264.tif 000002
【特許請求の範囲】
【請求項１】
底面部と、
前記底面部の一端から折り曲げられ前記底面部に対して立設される第１側面部と、
前記底面部の他端から折り曲げられ前記底面部に対して立設される第２側面部と、
前記第１側面部から内向きに折り曲げられ、前記底面部、前記第１側面部および前記第２側面部を含み上方が開口した箱体の前記開口の少なくとも一部を塞いだときに前記箱体の外側に位置する面には第１の模様が表された第１上面部と、
前記第２側面部から内向きに折り曲げられ、前記箱体の前記開口の少なくとも一部を塞いだときに前記箱体の外側に位置する面には第２の模様が表された第２上面部と、を備え、
前記第１上面部および前記第２上面部は、前記開口を塞いだときに互いを係止する係止手段をそれぞれ有し、
前記第１上面部および前記第２上面部が前記開口を塞ぎ、前記係止手段により互いを係止したときに、前記第１の模様と前記第２の模様との組み合わせにより第３の模様が形成される
ことを特徴とする組立箱。
【請求項２】
請求項１に記載の組立箱において、
前記第３の模様は、文字または言葉である
ことを特徴とする組立箱。
【請求項３】
請求項１または請求項２に記載の組立箱において、
前記底面部の形状は、矩形である
ことを特徴とする組立箱。
【請求項４】
請求項１から請求項３のいずれか１項に記載の組立箱が展開されたシートである
ことを特徴とする組立箱の展開シート。
【請求項５】
請求項１から請求項３のいずれか１項に記載の組立箱を複数並べることによって、
複数の前記第３の模様を組み合わせて、言葉からなる第４の模様を形成する
ことを特徴とする組立箱の配置方法。
【発明の詳細な説明】
【技術分野】
【０００１】
本発明は、組立箱、組立箱の展開シートおよび組立箱の配置方法に関する。
【背景技術】
【０００２】
従来より、一方から見た場合、立体化された文字のように見える箱が存在する。また、箱の表面に文字が表れるように、箱の外側表面に予め文字が印刷されている箱や、予め文字が印刷されている蓋が被せられている箱も存在する。また、予め文字が印刷されている１枚のシートを箱の形に組み立てることで、組み立てられた箱の表面に当該文字が表れる箱も存在する（例えば、特許文献１参照）。
【先行技術文献】
【特許文献】
【０００３】
【特許文献１】実開昭６１−１２５９７６号公報
【発明の概要】
【発明が解決しようとする課題】
【０００４】
しかし、従来の文字が表れる箱は、箱そのものが既に文字の形であるか、箱の表面や蓋に予め文字が印刷されていることにより当該文字が箱の表面に表れているものに過ぎない。また、１枚のシートを箱の形に組み立てることで箱の表面に文字が表れる箱は、組み立て前から既に印刷されてある文字がそのまま当該箱の表面に表れているに過ぎない。このため、１枚のシートから組み立て可能な箱であって、組み立て後に初めて文字が表れる箱は存在しなかった。
【０００５】
本件開示の組立箱は、１枚のシートから組み立てられ、組み立て後にはシートに表された複数の模様が組み合わされて一体の模様が箱の表面に表れるようにすることを目的とする。
【課題を解決するための手段】
【０００６】
一つの観点によれば、組立箱は、底面部と、底面部の一端から折り曲げられ底面部に対して立設される第１側面部と、底面部の他端から折り曲げられ底面部に対して立設される第２側面部と、第１側面部から内向きに折り曲げられ、底面部、第１側面部および第２側面部を含み上方が開口した箱体の開口の少なくとも一部を塞いだときに箱体の外側に位置する面には第１の模様が表された第１上面部と、第２側面部から内向きに折り曲げられ、箱体の開口の少なくとも一部を塞いだときに箱体の外側に位置する面には第２の模様が表された第２上面部と、を有し、第１上面部および第２上面部は、開口を塞いだときに互いを係止する係止手段をそれぞれ有し、第１上面部および第２上面部が開口を塞ぎ、係止手段により互いを係止したときに、第１の模様と第２の模様との組み合わせにより第３の模様が形成される。
【０００７】
別の観点によれば、組立箱の展開シートは、上記の組立箱が展開されたシートである。
【０００８】
別の観点によれば、組立箱の配置方法は、上記の組立箱を複数並べることによって、複数の第３の模様を組み合わせて、言葉からなる第４の模様を形成する。
【発明の効果】
【０００９】
本件開示の組立箱は、１枚のシートから組み立てられ、組み立て後にはシートに表された複数の模様が組み合わされて一体の模様が箱の表面に表れる。
【図面の簡単な説明】
【００１０】
【図１】組立箱および組立箱の展開シートの一実施形態で使用される展開シートの例を示す図である。
【図２】図１に示した展開シートの反対側の面を示す図である。
【図３】図１に示した展開シートから組立箱への組み立て途中の例を示す図である。
【図４】図１に示した展開シートから組立箱への組み立て途中の例を示す図である。
【図５】図１に示した展開シートから組立箱への組み立て途中の例を示す図である。
【図６】図１に示した展開シートから組立箱への組み立て途中の例を示す図である。
【図７】図１に示した展開シートから組み立てられた組立箱の例を示す図である。
【図８】組立箱および組立箱の展開シートの別の実施形態で組み立てられた組立箱の例を示す図である。
【図９】組立箱の配置方法の一実施形態を示す図である。
【発明を実施するための形態】
【００１１】
以下、図面を用いて実施形態を説明する。
【００１２】
図１は、組立箱および組立箱の展開シートの一実施形態で使用される展開シートの例を示す。
【００１３】
本実施形態において、展開シートの一例である１枚の展開シート３を折り曲げて組み立てると、組立箱の一例である組立箱１（図７参照）が作成される。逆に言えば、組立箱１が展開されると、１枚の展開シート３となる。なお、展開シート３は、厚紙、段ボールシート、プラスチックシート等、折り曲げ可能なシート状のものであれば何でもよい。
【００１４】
なお、図１に示される展開シート３は、組立箱１の内側に位置する面を示している。また、図中の二点鎖線は、折曲線を示し、細い実線は、折曲線が折れ曲がった状態を示す。
【００１５】
図１において、展開シート３は、矩形（正方形）の底面部１１を有する。底面部１１は、組立箱１の底面となる部分である。なお、本実施形態では、底面部１１の形状の一例として矩形（正方形）を用いて説明するが、底面部１１の形状は、種々の多角形の形状や曲線を有する形状等、矩形（正方形）以外の形状であってもよい。
【００１６】
底面部１１は、折曲線１１ａを介して第１側面部２１と連接される。底面部１１は、折曲線１１ｂを介して第２側面部２３と連接される。底面部１１は、折曲線１１ｃを介して第３側面部２５と連接される。底面部１１は、折曲線１１ｄを介して第４側面部２７と連接される。各側面部は、各折曲線で折り曲げられ、底面部１１に対して立設し、組立箱１の側面となる部分である。なお、本実施形態において、各側面部は、矩形であることを前提として説明するが、底面部１１の形状に伴った他の形状であっても良い。
【００１７】
第１側面部２１は、折曲線２１ａを介して第１上面部３１と連接される。第１側面部２１は、折曲線２１ｂを介して折込部４１と連接される。第１側面部２１は、折曲線２１ｃを介して折込部４３と連接される。第２側面部２３は、折曲線２３ａを介して第２上面部３３と連接される。
【００１８】
第３側面部２５は、折曲線２５ａを介して第３上面部３５と連接される。第３側面部２５は、折曲線２５ｂを介して折込部４５と連接される。第３側面部２５は、折曲線２５ｃを介して折込部４７と連接される。第４側面部２７は、折曲線２７ａを介して第４上面部３７と連接される。
【００１９】
なお、各上面部は、内向きに折り曲げられることによって、組立箱１の上面に位置する部分であって、組立箱１の上方に開口した開口の少なくとも一部を塞ぐ部分である。
【００２０】
第２上面部３３は、切り込み５１を有し、折曲線３３ａで折れ曲がり可能な第１係止片６１を有する。第４上面部３７は、切り込み５３を有し、折曲線３７ａで折れ曲がり可能な第２係止片６３を有する。
【００２１】
なお、第１係止片６１と第２係止片６３は、第２上面部３３と第４上面部３７とが組立箱１の上方の開口を塞いだときに切り込み５１と切り込み５３とを介して互いを係止する係止手段となる部分である。
【００２２】
図２は、図１に示した展開シートの反対側の面を示す。
【００２３】
図２は、図１に示した展開シートの裏面側、すなわち、組立箱１の外側となる面を示している。
【００２４】
図２の左側において、第２上面部３３は、長手方向先端側に模様７１が表されている。本実施形態において、模様７１は、平仮名の「あ」の文字の左側半分を表している。また、図２の右側において、第４上面部３７は、長手方向先端側に模様７３が表されている。本実施形態において、模様７３は、平仮名の「あ」の文字の右側半分を表している。
【００２５】
なお、図２において、第２上面部３３の左下の端部の形状は、平仮名の「あ」の文字の左下の形状に合わせて丸みを帯びている。同様に、第２上面部３３の左上すなわち第１係止片６１の端部の形状は、平仮名の「あ」文字の左上の形状に合わせた形状となっている。
【００２６】
また、図２において、第４上面部３７の右上の端部の形状は、平仮名の「あ」の文字の右上の形状に合わせた形状となっている。同様に、第４上面部３７の右下すなわち第２係止片６３の端部の形状は、平仮名の「あ」の文字の右下の形状に合わせて丸みを帯びている。
【００２７】
なお、本実施形態において、第２上面部３３および第４上面部３７の端部の形状は、平仮名の「あ」の文字の形状に合わせた形状となっているが、文字や模様が異なれば適宜異なる形状となる。なお、本実施形態において、模様７１および模様７３は、平仮名の「あ」の文字の形状が手書き又は印刷等により平面的に表されたものであるが、型押し、貼り付け等により立体的に表されたものであってもよい。
【００２８】
以下、展開シート３から組立箱１への組み立て例を説明する。
【００２９】
図３は、図１に示した展開シートから組立箱への組み立て途中の例を示す。
【００３０】
図３で示される展開シート３は、図１と同様に、組立箱１の内側となる面を示している。
【００３１】
図３において、第１側面部２１は、折曲線１１ａを介して内側に向けて９０度折り曲げられて底面部１１に対して立設される。また、第１上面部３１は、折曲線２１ａを介して内側に向けて９０度折り曲げられる。また、折込部４１は、折曲線２１ｂを介して内側に向けて９０度折り曲げられる。また、折込部４３は、折曲線２１ｃを介して内側に向けて９０度折り曲げられる。
【００３２】
同様に、第３側面部２５は、折曲線１１ｃを介して内側に向けて９０度折り曲げられて底面部１１に対して立設される。また、第３上面部３５は、折曲線２５ａを介して内側に向けて９０度折り曲げられる。また、折込部４５は、折曲線２５ｂを介して内側に向けて９０度折り曲げられる。また、折込部４７は、折曲線２５ｃを介して内側に向けて９０度折り曲げられる。
【００３３】
図４は、図１に示した展開シートから組立箱への組み立て途中の例を示す。
【００３４】
図４において、第２側面部２３は、折曲線１１ｂを介して内側に向けて９０度折り曲げられて底面部１１に対して立設される。また、第２上面部３３は、折曲線２３ａを介して内側に向けて９０度折り曲げられる。また、第１係止片６１は、折曲線３３ａを介して外側に向けて折り曲げられる。
【００３５】
図５は、図１に示した展開シートから組立箱への組み立て途中の例を示す。
【００３６】
図５において、第４側面部２７は、折曲線１１ｄを介して内側に向けて９０度折り曲げられて底面部１１に対して立設される。また、第４上面部３７は、折曲線２７ａを介して内側に向けて９０度折り曲げられる。また、第２係止片６３は、折曲線３７ａを介して外側向けて折り曲げられる。
【００３７】
なお、本実施形態において、展開シート３の各側面部、各上面部および各折込部は、各折曲線を介して各９０度折り曲げられる例について説明した。しかし、展開シート３の組み立て後の組立箱１の形状が箱体となるのであれば、角度は９０度には限られず、箱体の形状に合わせた角度であってもよい。
【００３８】
図６は、図１に示した展開シートから組立箱への組み立て途中の例を示す。
【００３９】
図６において、第２上面部３３および第４上面部３７は、第１上面部３１および第３上面部３５の上に重ねられ、上方に開口した開口が塞がれる。このとき、第１係止片６１と第２係止片６３とが外側に折り曲げられていることにより、第１係止片６１と第２係止片６３とが相互に避け合い、第１係止片６１を除く第２上面部３３と、第２係止片６３を除く第４上面部３７とは、相互に重なり合うことができる。そして、第２上面部３３と第４上面部３７とが重なり合い、上方の開口が塞がれて閉じられたときに、折曲線３３ａおよび折曲線３７ａの折り曲げを伸ばすことで、第１係止片６１と第２係止片６３とが、切り込み５１と切り込み５３とを介して互いに係止される。
【００４０】
図７は、図１に示した展開シートから組み立てられた組立箱の例を示す。
【００４１】
図７に示すように、展開シート３から組み立てられた組立箱１の上面の左側には、第２上面部３３の外側に表された模様７１が表されている。同様に、組立箱１の上面の右側には第４上面部３７の外側に表された模様７３が表されている。
【００４２】
上述のとおり、模様７１は、平仮名の「あ」の文字の左側半分であり、模様７３は、平仮名の「あ」の文字の右側半分である。このため、組立箱１が組み立てられると、平仮名の「あ」の文字の左側半分と平仮名の「あ」の文字の右側半分との組み合わせにより、平仮名の「あ」の文字の全体が上面に表れる。すなわち、第１上面部３１の第１係止片６１と第３上面部３５の第２係止片６３とが切り込み５１と切り込み５３とを介して互いに係止されると、模様７１と模様７３とが組み合わされた一体の模様７５が上面に形成される。
【００４３】
このように、図１−図７で示した実施形態では、１枚の展開シート３から組み立てられ、組み立て後には展開シート３に表された複数の模様７１と７３とが組み合わされて一体の模様７５が組立箱１の表面に表れることができる。これにより、組立箱１は、装飾的な効果を発揮し、見栄えをよくすることもできる。
【００４４】
なお、本実施形態では、第２上面部３３の外側に表された模様７１は、平仮名の「あ」の文字の左側半分であり、第４上面部３７の外側に表された模様７３は、平仮名の「あ」の文字の右側半分であったが、これには限られない。模様７１や模様７３は、漢字やアルファベット等の文字の左側半分と右側半分でもよい。すなわち、組立箱１が組み立てられ、第２上面部３３と第４上面部３７とが閉じられて互いに係止されたときに、模様７１と模様７３とが組み合わされて一体の一つの文字である模様７５となるものであれば何でもよい。
【００４５】
また、第２上面部３３の模様７１と第４上面部３７の模様７３とは、中央で左右に２分割されたものでなくてもよい。すなわち、第２上面部３３の幅と第４上面部３７の幅とは均等でなくともよく、第２上面部３３に埋め込まれる模様７１の左側の幅と第４上面部に埋め込まれる模様７３の右側の幅とは均等でなくてもよい。また、模様７１や模様７３を形成する文字は必ずしも左右で分けられる必要は無く、上下や斜めで分けられるものであっても良い。
【００４６】
なお、本実施形態の組立箱１は、上記の組み立ての例の逆の手順を経ることによって、１枚のシートである展開シート３に展開することも可能である。
【００４７】
図８は、組立箱および組立箱の展開シートの別の実施形態で組み立てられた組立箱の例を示す。
【００４８】
図８では、図７に示した組立箱１、展開シート３、第２上面部３３、第４上面部３７の代わりに、組立箱１Ａ、展開シート３Ａ、第２上面部３３Ａ、第４上面部３７Ａを用いて説明する。図８に示す実施形態において、展開シート３Ａから組立箱１Ａへの組み立て方法は、図１−図７に示す実施形態における展開シート３から組立箱１への組み立て方法と同様であるため説明を省略する。このため、図８では、展開シート３Ａから組み立てが終了した組立箱１Ａの例を示す。なお、図８において、図７と同様の構成は、図７と同一の符号を用い、詳細な説明は省略する。
【００４９】
図８において、展開シート３Ａから組み立てられた組立箱１Ａの上面の左側には、第２上面部３３Ａの外側に表された模様７１Ａが表されている。同様に、組立箱１Ａの上面の右側には第４上面部３７Ａの外側に表された模様７３Ａが表されている。
【００５０】
図８に示すように、模様７１Ａは、漢字の「大」の文字であり、模様７３Ａは、漢字の「翔」の文字である。このため、組立箱１Ａが組み立てられると、上面に漢字の「大」の文字と漢字の「翔」の文字との組み合わせにより「大翔」という言葉が表れる。すなわち、組立箱１Ａが組み立てられると、上面に模様７１Ａと模様７３Ａとの組み合わせにより一体の模様７５Ａが形成される。
【００５１】
このように、図８で示した実施形態では、１枚の展開シート３Ａから組み立てられ、組み立て後には展開シート３Ａにそれぞれ表された文字の模様７１Ａと７３Ａとが組み合わされて一つの言葉である模様７５Ａが組立箱１Ａの表面に表れることができる。
【００５２】
なお、本実施形態では、第２上面部３３Ａの外側に表された模様７１Ａは、漢字の「大」の文字１文字であり、第４上面部３７Ａの外側に表された模様７３Ａは、漢字の「翔」の文字１文字であったが、これには限られない。模様７１Ａや模様７３Ａは、１文字には限られず複数の文字でもよい。また、模様７１Ａや模様７３Ａは、アルファベット等でもよく、漢字や平仮名等には限られない。すなわち、模様７１Ａおよび模様７３Ａは、組み合わされて一体として一つの言葉である模様７５Ａとなるものであれば何でもよい。
【００５３】
例えば、模様７１Ａが「ＨＡ」であり、模様７３Ａが「ＰＰＹ」であり、第２上面部３３Ａと第４上面部３７Ａとが閉じられたときに、模様７１Ａと模様７３Ａとが組み合わされて一体の一つの言葉である「ＨＡＰＰＹ」という模様７５Ａが表れてもよい。また、例えば、模様７１Ａが「Ｔｈａｎｋ」であり、模様７３Ａが「Ｙｏｕ」であり、第２上面部３３Ａと第４上面部３７Ａとが閉じられたときに、模様７１Ａと模様７３Ａとが組み合わされて一体の一つの言葉である「ＴｈａｎｋＹｏｕ」という模様７５Ａが表れてもよい。
【００５４】
また、図８で示した実施形態においても、図１−図７で示した実施形態と同様に、模様７１Ａと７３Ａとは、模様７５Ａを左右の中央で分割したものである必要はなく、左右異なる幅で分割されたものであっても、上下や斜めで分割されたものであってもよい。
【００５５】
図９は、組立箱の配置方法の一実施形態を示す。
【００５６】
図９において、図の左上から右下に向けて順に、組立箱１００、組立箱２００、組立箱３００、組立箱４００、組立箱５００、組立箱６００が配置されている。組立箱１００−組立箱６００は、図１−図７に示す実施形態における組立箱１と同様の方法で組み立てられた組立箱である。
【００５７】
なお、組立箱１００は、図１−７に示す実施形態における組立箱１と同様の構成であり、組立箱６００は、図８に示す実施形態における組立箱１Ａと同様の構成である。
【００５８】
組立箱１００には、平仮名の「あ」の文字の左側半分の模様１７１と平仮名の「あ」の文字の右側半分の模様１７３とが組み合わされて平仮名の「あ」の文字の模様１７５が表れている。同様に、組立箱２００には、平仮名の「り」の文字の模様２７５が表れている。また、組立箱３００には、平仮名の「が」の文字の模様３７５が表れている。また、組立箱４００には、平仮名の「と」の文字の模様４７５が表れている。また、組立箱５００には、平仮名の「う」の文字の模様５７５が表れている。組立箱６００には、漢字の「大」の文字の模様６７１と漢字の「翔」の文字の模様６７３とが組み合わされて「大翔」という言葉の模様６７５が表れている。
【００５９】
これらの組立箱に表れた文字や言葉を図９の左上から右下にかけて読むと、図９に示すとおり「ありがとう大翔」と読むことができる。
【００６０】
このように、図９で示した実施形態では、違う文字や言葉が表れている組立箱が複数並べられることによって、複数のそれぞれの文字や言葉が組み合わされて新たな模様である言葉やフレーズが形成される。したがって、本実施形態に示す組立箱の配置方法を用いることで、組立箱単体でも文字や言葉を表現できるのみならず、組立箱の組み合わせからも別の言葉やフレーズを表現することができる。
【００６１】
なお、図１−図９に示す実施形態において、組立箱は、必ずしも四方に側面部および上面部を有しなくてもよく、側面部および上面部を少なくとも２つ有していればよい。
【００６２】
また、図１−図９に示す実施形態において、底面部の形状は、矩形（正方形）には限定されず、円形、楕円形、多角形等の任意の形状であってもよい。そして、側面部および上面部の数は、少なくとも２つ以上であれば、底面部の形状に合わせていくつであってもよい。
【００６３】
また、図１−図９に示す実施形態において、組立箱の側面部は、底面部に対して垂直に折り曲げられたものに限定されない。例えば、全体形状が載頭四角錐体となる組立箱であってもよい。
【００６４】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００６５】
１、１Ａ、１００、２００、３００、４００、５００、６００…組立箱；３、３Ａ…展開シート；１１…底面部；１１ａ−１１ｄ…折曲線；２１…第１側面部；２１ａ−２１ｃ…折曲線；２３…第２側面部；２３ａ…折曲線；２５…第３側面部；２５ａ−２５ｃ…折曲線；２７…第４側面部；２７ａ…折曲線；３１…第１上面部；３３、３３Ａ…第２上面部；３３ａ…折曲線；３５…第３上面部；３７、３７Ａ…第４上面部；３７ａ…折曲線；４１、４３、４５、４７…折込部；５１、５３…切り込み；６１…第１係止片；６３…第２係止片；７１、７１Ａ、７３、７３Ａ、７５、７５Ａ、１７１、１７３、１７５、２７１、２７３、２７５、３７１、３７３、３７５、４７１、４７３、４７５、５７１、５７３、５７５、６７１、６７３、６７５…模様
【図１】
2018002264.tif 000003
【図２】
2018002264.tif 000004
【図３】
2018002264.tif 000005
【図４】
2018002264.tif 000006
【図５】
2018002264.tif 000007
【図６】
2018002264.tif 000008
【図７】
2018002264.tif 000009
【図８】
2018002264.tif 000010
【図９】
2018002264.tif 000011